(57)【要約】【課題】ストローでの押圧により開口可能な容器蓋について、香料を容器蓋に簡単に設けることができ、開口前には、香料の香気成分が揮散することなく、開口後には、香料が飲用の邪魔にならず、良好なフレーバー性が得られるようにする。【解決手段】容器蓋の天板部２に貫通孔７を形成し、ストローでの押圧により破断可能で且つガスバリア性を有するシート部材１０，１１を、容器蓋の天板部２の内面側と外面側とにそれぞれ貫通孔７を塞ぐように設けると共に、内面側と外面側の各シート部材１０，１１と貫通孔７とで画成される空間内の壁面で、容器蓋の開口時にストローの外周面と摺接可能な部分（貫通孔７の内周壁とシート部材１１の上面）に、香料１２を設ける。【選択図】図３
2008179402.tif 000002
【特許請求の範囲】
【請求項１】
ストローでの押圧により開口可能な容器蓋において、容器蓋の天板部に貫通孔が形成され、ストローでの押圧により破断可能で且つガスバリア性を有するシート部材が、容器蓋の天板部の内面側と外面側とにそれぞれ貫通孔を塞ぐように設けられていると共に、内面側と外面側の各シート部材と貫通孔とで画成される空間内の壁面で、容器蓋の開口時にストローの外周面と摺接可能な部分に、香料が設けられていることを特徴とする香料付き容器蓋。
【請求項２】
ストローでの押圧により開口可能な容器蓋において、容器蓋の天板部の外面側に凹部が形成され、この凹部の底面にストローでの押圧により破断可能な弱化部が形成され、ストローでの押圧により破断可能で且つガスバリア性を有するシート部材が、容器蓋の天板部の外面側に凹部を塞ぐように設けられていると共に、シート部材と凹部とで画成される空間内の壁面で、容器蓋の開口時にストローの外周面と摺接可能な部分に、香料が設けられていることを特徴とする香料付き容器蓋。
【発明の詳細な説明】
【技術分野】
【０００１】
本発明は、ストローでの押圧により開口可能な所謂ストローキャップと言われる容器蓋に関し、特に、容器蓋の開口時に香料によるフレーバーを発するような香料付きの容器蓋に関する。
【背景技術】
【０００２】
飲料用の容器において、開封時に香料によるフレーバーを発するような香料付きの容器は従来から提案されている。すなわち、下記の特許文献１には、ボトルの口元またはキャップに匂いを発生させる物体を設けることで、飲料水を飲む時に匂い分子が効率良く鼻に働くようにするということが記載されており、また、下記の特許文献２には、容器の特定箇所又は全体に、香気成分を収着及び／又は吸着させたり、香気成分を封入したマイクロカプセルを付着させたりするということが記載されている。
【特許文献１】特開２０００−８５７７７号公報
【特許文献２】特開２００６−１６８７８８号公報
【発明の開示】
【発明が解決しようとする課題】
【０００３】
ところで、上記のような従来公知の香料付き容器について、上記の特許文献１に記載されたようなものでは、匂いを発生させる物体をボトルの口元やキャップの内面に設けていることから、消費者が容器を開けて飲む時に、ボトルの口元に設けている場合には、匂いを発生させる物体の収納スペースが飲料の流れの邪魔になり、また、キャップの内面に設けている場合には、匂い分子を効率良く鼻に働かせるために、ボトルの口元にキャップを繋ぎ止めておくことが必要となる。
【０００４】
また、上記の特許文献２に記載されたようなものでは、容器の特定箇所又は全体（例えば容器のネジ部）に香気成分を設けるために、香気成分を容器に収着及び／又は吸着させている場合には、商品が消費者の元に届く前の輸送時や店頭陳列時に香気成分が揮散してしまうこととなり、また、香気成分を封入したマイクロカプセルを容器のネジ部等に付着させている場合には、マイクロカプセルの製造が面倒なものとなって生産コストが大幅にアップすることとなる。
【０００５】
本発明は、上記のような問題の解消を課題とするものであり、具体的には、ストローでの押圧により開口可能な容器蓋について、香料を容器蓋に簡単に設けることができ、開口前には、香料の香気成分を揮散させることなく、開口後には、香料が飲用の邪魔にならず、良好なフレーバー性が得られるようにすることを課題とするものである。
【課題を解決するための手段】
【０００６】
本発明は、上記のような課題を解決するために、ストローでの押圧により開口可能な容器蓋において、容器蓋の天板部に貫通孔が形成され、ストローでの押圧により破断可能で且つガスバリア性を有するシート部材が、容器蓋の天板部の内面側と外面側とにそれぞれ貫通孔を塞ぐように設けられていると共に、内面側と外面側の各シート部材と貫通孔とで画成される空間内の壁面で、容器蓋の開口時にストローの外周面と摺接可能な部分に、香料が設けられていることを特徴とするものである。
【０００７】
また、ストローでの押圧により開口可能な容器蓋において、容器蓋の天板部の外面側に凹部が形成され、この凹部の底面にストローでの押圧により破断可能な弱化部が形成され、ストローでの押圧により破断可能で且つガスバリア性を有するシート部材が、容器蓋の天板部の外面側に凹部を塞ぐように設けられていると共に、シート部材と凹部とで画成される空間内の壁面で、容器蓋の開口時にストローの外周面と摺接可能な部分に、香料が設けられていることを特徴とするものである。
【発明の効果】
【０００８】
上記のような本発明の香料付き容器蓋によれば、ガスバリア性を有するシート部材で塞がれた空間内（内面側と外面側の各シート部材と貫通孔とで画成された空間内、又はシート部材と凹部とで画成された空間内）に香料を設けていることから、香料をマイクロカプセル化するような場合と比べて、香料をそのまま簡単に容器蓋に設けることができて生産性が優れていると共に、ストローでの押圧により容器蓋を開口する前には、香料はガスバリア性を有するシート部材で密封された空間内にあるため、香料の香気成分が揮散してしまうことはない。
【０００９】
そして、容器蓋を開口する際（内面側と外面側の各シート部材、又はシート部材と容器蓋の弱化部をストローにより破断する際）には、容器蓋に画成された空間内の壁面に設けられた香料とストローの外周面とが摺接することで、香料がストローの外周面に付着して香料の表面積が増加したり、香料とストローとの摩擦により摩擦熱が生じたりすることにより、香料からの香気成分の揮発が促進されると共に、揮発した香気成分が飲用時のストローの上下動や回動等の動きにより効果的に拡散されることとなる。
【００１０】
その結果、容器蓋の開口前には香料からの香気成分の揮散を確実に防止することができると共に、容器蓋を開口して内容物をストローで飲む際には、内容物のフレーバーがストローで覆われ、フレーバーが直接鼻から入らず、フレーバーを感じ難い状態になっていても、容器蓋に設けられた香料により充分にフレーバーを感じることができ、しかも、開口時や飲用時のストローの動きにより香料の香気成分の揮発・拡散が促進されていることから、容器蓋に設けられる香料の量が少量であっても、香料から揮散した充分な量の香気成分によって良好なフレーバー性を得ることができる。
【発明を実施するための最良の形態】
【００１１】
ストローでの押圧により開口可能な容器蓋について、香料を容器蓋に簡単に設けることができ、開口前には、香料の香気成分が揮散することなく、開口後には、香料が飲用の邪魔にならず、良好なフレーバー性が得られるようにするという目的を、最良の形態として以下の各実施例に具体的に示すように、ストローでの押圧により開口可能な容器蓋において、「容器蓋の天板部に貫通孔を形成し、ストローでの押圧により破断可能で且つガスバリア性を有するシート部材を、容器蓋の天板部の内面側と外面側とにそれぞれ貫通孔を塞ぐように設けると共に、内面側と外面側の各シート部材と貫通孔とで画成される空間内の壁面で、容器蓋の開口時にストローの外周面と摺接可能な部分に、香料を設ける」、或いは、「容器蓋の天板部の外面側に凹部を形成し、この凹部の底面にストローでの押圧により破断可能な弱化部を形成し、ストローでの押圧により破断可能で且つガスバリア性を有するシート部材を、容器蓋の天板部の外面側に凹部を塞ぐように設けると共に、シート部材と凹部とで画成される空間内の壁面で、容器蓋の開口時にストローの外周面と摺接可能な部分に、香料を設ける」ということで実現した。
【００１２】
なお、本発明の香料付き容器蓋の以下に示す各実施例（実施例１、実施例２）において、容器蓋の蓋本体については、ＰＥＴボトルやボトル型缶等の飲料容器に使用されるキャップであって、主にポリエチレンやポリプロピレン等の周知のキャップ製造用の樹脂材料から一体的に形成されたものである。
【００１３】
すなわち、樹脂材料から一体的に形成された容器蓋の蓋本体では、図１および図４に示すように、略円形の天板部２の外周縁から垂下するようにスカート部３が形成され、天板部２の内面の周辺部には、容器口部の内面側に接触する環状プラグ４ａと、容器口部の上端面に接触する環状の小突起４ｂと、容器口部の上端外縁に接触する環状のアウターリング４ｃとからなる密封部４が同心円状に形成され、スカート部３の内面には、容器口部の外面に形成されたネジ部と螺合するネジ部５が形成され、スカート部３の下方には、容器口部の外面でネジ部の下方に係止される周知のピルファープルーフ機構６が形成されている。
【００１４】
そのような容器蓋の蓋本体に固着されるシート部材１０，１１については、ストローでの押圧により容易に破断される程度の強度を有するもので、且つ、香料から揮発する香気成分を透過させないガスバリア性を有するものであって、具体的には、例えば、金属箔を主体として樹脂をラミネートしたフィルムが挙げられるが、そのようなものに限らず、樹脂フィルムに無機物（金属や酸化ケイ素等）を蒸着したような樹脂を主体とするフィルムであっても良い。なお、フィルムの樹脂材料については、容器蓋の蓋本体を構成する樹脂材料と同系（ポリエチレン系やポリプロピレン系）の樹脂材料を使用することにより、容器蓋の蓋本体からシート部材が剥離しないように両者を融着させることができる。
【００１５】
シート部材１０，１１を固着した容器蓋に設けられる香料１２については、容器内に収納される内容物（飲料等）の香料と同一又は類似の成分であっても良いし、異なる成分でも良く、何れにしても、消費者の嗜好に合ったものであることが好ましく、具体的には、例えば、バニラ系のバニリン、柑橘系のｄ−リモネン、ジャスミン系の酢酸ベンジル、はっか系のＬ−メントール、レモンエッセンス、ストロベリーエッセンス等の香料が挙げられる。また、香料１２を容器蓋に設ける手段については、香料又は香料を含む組成物を塗布したり、香料を含浸させた膜状物を配置したり、香料を空間部分に挿入したりする等の適宜の手段を用いることができる。
【００１６】
上記のような容器蓋（蓋本体）とシート部材と香料を使用して実施される本発明の香料付き容器蓋の各実施例（実施例１、実施例２）について以下に説明する。
【実施例１】
【００１７】
本実施例の香料付き容器蓋では、図３に示すように、容器蓋の天板部２の中央部に、天板部２の外面（上面）から内面（下面）へと貫通する貫通孔７が形成されている。この貫通孔７の内周壁については、天板部２の外面（上面）から天板部２の中程（厚さ方向の中央付近）に至るまでテーパー状に縮径する傾斜壁７ａとなっており、そこから天板部２の内面（下面）までは略垂下する垂直壁７ｂとなっている。
【００１８】
貫通孔７の内周壁に形成される傾斜壁７ａについては、垂直壁７ｂ（容器蓋の軸線方向）に対して１５〜６０°の範囲で傾斜させるのが好ましく、そうすることで、ストローを貫通孔７に挿入する際に、ストローの先端が貫通孔７の中心から少し位ずれても、傾斜壁７ａに接触したストローの先端が傾斜壁７ａの傾斜に沿って貫通孔７の内側に案内されるため、ストローの位置合わせが容易になる。なお、傾斜壁７ａの傾斜角度が１５°よりも小さいとストローを挿入し難くなり、一方、６０°よりも大きいとストローを貫通孔へと案内するガイドとしての役割を充分に果たせなくなる虞がある。
【００１９】
貫通孔７の内周壁の内径（垂直壁７ｂの内径）については、ストローの外径よりも１〜３ｍｍ程度大きいのが好ましい。なお、貫通孔７の内径がストローの外径より僅かに大きい程度であると、ストローで容器内の内容物を吸引する際に、容器内に外部の空気が導入され難くなるため、内容物をスムースに吸引できず、一方、内径を大きくし過ぎると、容器蓋（蓋本体）の強度が弱くなって、耐落下衝撃性等が劣ることになる。
【００２０】
貫通孔７が形成された天板部２の内面（下面）側には、環状プラグ４ａで囲まれた部分の全面に、ストローでの押圧により破断可能で且つガスバリア性を有するシート部材１１が、貫通孔７を塞ぐように設けられている。なお、シート部材１１の端面は、該端面が容器内の内容物と接触して腐食する（それにより内容物の品質に影響を与える）のを防止するため、容器蓋の環状プラグ４ａの内側面に埋設されて一体化されている。
【００２１】
さらに、貫通孔７が形成された天板部２の外面（上面）側には、天板部２の外面の中央部分に、ストローでの押圧により破断可能で且つガスバリア性を有するシート部材１０が、貫通孔７を塞ぐように設けられている。なお、本実施例では、天板部２の外面側と内面側とに設けられる各シート部材１０，１１は、何れも、アルミニウム箔等の金属薄膜に樹脂被膜をラミネートした積層フィルムを使用して、容器蓋（蓋本体）の樹脂と積層フィルムの樹脂被膜とを融着させることで、それぞれ容器蓋の天板部２に固着されている。
【００２２】
そして、上記のように天板部２に貫通孔７が形成されて天板部の内面側と外面側にシート部材１０，１１が固着された本実施例の容器蓋では、天板部２の内面側と外面側の各シート部材１０，１１と貫通孔７の内周壁とで画成される空間内の壁面で、容器蓋の開口時にストローの外周面と摺接可能な部分である貫通孔７の内周壁とシート部材１１の上面とに、揮発性の香気成分を有する香料１２が設けられている。
【００２３】
なお、そのような本実施例の容器蓋では、容器蓋を開口する際には、先ず、ストローの先端で天板部外面側のシート部材１０を押圧して破断してから、貫通孔７にストローを挿入して、更に、ストローの先端で天板部内面側のシート部材１１を押圧して破断することにより、図２に示すように、容器蓋１の貫通孔を挿通して容器内にストロー１３を挿入させることとなる。
【実施例２】
【００２４】
本実施例の香料付き容器蓋では、図６に示すように、容器蓋の天板部２の中央部に、天板部２の外面（上面）から窪むように凹部８が形成され、この凹部８の底面の外周縁には、ストローでの押圧により破断可能な弱化部である薄肉ライン９が形成されていて、この薄肉ライン９で囲まれた部分は、容器蓋の開封時にはストローで押し下げられる開口片となる。なお、凹部８の底面の外周縁に沿った薄肉ライン９は、薄肉ライン９の破断時に開口片が天板部２と連結された状態で保持されるように、破断されないヒンジ部を残して略環状に形成されている。
【００２５】
天板部２の凹部８の底面（開口片の上面）は、中央が突出するように略ドーム状に形成されており、凹部８の側面は、薄肉ライン９から天板部２の外面（上面）に向けてテーパー状に拡径する傾斜壁８ａとなっている。なお、この傾斜壁８ａについては、実施例１の場合と同様に、容器蓋の軸線方向に対して１５〜６０°の範囲で傾斜させるのが好ましく、そうすることで、ストローを凹部８に挿入する際に、ストローの先端が凹部８の中心から少し位ずれても、傾斜壁８ａに接触したストローの先端が傾斜壁８ａの傾斜に沿って凹部の内側に案内されるため、ストローの位置合わせが容易になる。
【００２６】
凹部８が形成された天板部２の外面（上面）側には、天板部２の外面の中央部分に、断可能で且つガスバリア性を有するシート部材１０が、凹部８を塞ぐように設けられている。なお、本実施例では、このシート部材１０は、アルミニウム箔等の金属薄膜に樹脂被膜をラミネートした積層フィルムを使用して、容器蓋（蓋本体）の樹脂と積層フィルムの樹脂被膜とを融着させることで、容器蓋の天板部２に固着されている。
【００２７】
そして、上記のように天板部２に凹部８が形成されて天板部２の外面側にシート部材１０が固着された本実施例の容器蓋では、天板部２の凹部８とシート部材１０とで画成される空間内の壁面で、容器蓋の開口時にストローの外周面と摺接可能な部分である凹部８の底面と側面とに、揮発性の香気成分を有する香料１２が設けられている。
【００２８】
なお、そのような本実施例の容器蓋では、容器蓋を開口する際には、先ず、ストローの先端でシート部材１０を押圧して破断してから、凹部８にストローを挿入して、更に、ストローの先端で凹部８の底面に形成された薄肉ライン９を押圧して破断することにより、図５に示すように、容器蓋１の開口片を押し下げて容器内にストロー１３を挿入させることとなる。
【００２９】
以上に述べたような本発明の香料付き容器蓋の各実施例（実施例１、実施例２）によれば、その何れの場合においても、香料をマイクロカプセル化するようなことなく、香料をそのまま設けるだけで、容器蓋に対して香料を簡単に設けることができる。そして、ストローでの押圧により容器蓋を開口する前には、香料の香気成分が容器から揮散してしまうことがない。また、ストローにより容器蓋を開口する際には、容器蓋の空間部の壁面に設けられた香料とストローの外周面とが摺接することで、香料がストローの外周面に付着して香料の表面積が増加したり、香料とストローとの摩擦により摩擦熱が生じたりすることにより、香料からの香気成分の揮発が促進されると共に、揮発した香気成分が飲用時のストローの上下動や回動等の動きにより効果的に拡散されることとなる。
【００３０】
すなわち、ストローにより容器蓋を開口する際に、「実施例１」の場合には、貫通孔の内周面と内面（下面）側のシート部材に設けられた香料がストローの外周面と摺接することで、また、「実施例２」の場合には、凹部の底面と側面に設けられた香料がストローの外周面と摺接することで、何れの場合にも、香料からの香気成分の揮発が促進されると共に、揮発した香気成分がストローの動きにより効果的に拡散されることとなる。
【００３１】
その結果、容器蓋を開口して内容物をストローで飲む際には、内容物のフレーバーがストローで覆われ、フレーバーが直接鼻から入らず、フレーバーを感じ難い状態になっていても、容器蓋に設けられた香料により充分にフレーバーを感じることができ、しかも、開口時や飲用時のストローの動きにより香料の香気成分の揮発・拡散が促進されていることから、容器蓋に設けられた香料の量が少量であっても、香料から揮散した充分な量の香気成分によって良好なフレーバー性を得ることができる。
【００３２】
以上、本発明の香料付き容器蓋の各実施例について説明したが、本発明は、上記のような実施例にのみ限定されるものではなく、例えば、容器蓋の蓋本体については、スカート部の内面にネジ部を有するネジ式の容器蓋に限らず、嵌め込み式の容器蓋でも良く、そのピルファープルーフ機構についても、図示したようなものに限らず、ピルファープルーフバンドに外面に形成された摘み片を摘んで、ピルファープルーフバンドを周方向に破断分離するような構造としても良いものである。
【００３３】
また、容器蓋の天板部の外面側に凹部を形成して、この凹部の底面にストローでの押圧により破断可能な弱化部を形成する場合には、実施例２に示した凹部の外周縁に環状の薄肉ライン（薄肉ラインで囲まれた開口片）を形成するようなものに限らず、例えば、凹部の底面の中心から放射状に薄肉ラインを形成するようにしても良い等、適宜に設計変更可能なものであることはいうまでもない。
【図面の簡単な説明】
【００３４】
【図１】本発明の香料付き容器蓋の一実施例（実施例１）について、容器蓋の全体構造を示す部分断面側面図。
【図２】図１に示した一実施例（実施例１）について、ストローにより容器蓋を開口した状態を示す部分断面側面図。
【図３】図１に示した一実施例（実施例１）について、容器蓋の一部分を拡大して示す部分拡大断面図。
【図４】本発明の香料付き容器蓋の他の実施例（実施例２）について、容器蓋の全体構造を示す部分断面側面図。
【図５】図４に示した他の実施例（実施例２）について、ストローにより容器蓋を開口した状態を示す部分断面側面図。
【図６】図４に示した他の実施例（実施例２）について、容器蓋の一部分を拡大して示す部分拡大断面図。
【符号の説明】
【００３５】
１        容器蓋
２        天板部
３        スカート部
４        密封部
５        ネジ部
６        ピルファープルーフ機構
７        貫通孔
８        凹部
９        薄肉ライン（弱化部）
１０      シート部材
１１      シート部材
１２      香料
１３      ストロー
【図１】
2008179402.tif 000003
【図２】
2008179402.tif 000004
【図３】
2008179402.tif 000005
【図４】
2008179402.tif 000006
【図５】
2008179402.tif 000007
【図６】
2008179402.tif 000008